(57)【特許請求の範囲】
【請求項１】
高周波磁界により被加熱物を加熱する少なくとも１つ以上の誘導加熱手段と、発熱体により被加熱物を加熱する少なくとも１つ以上の発熱体式ヒータと、前記誘導加熱手段および前記発熱体式ヒータの中から加熱を禁止する対象を選択するロックモード選択キーと、選
択中のロックモードを表示する表示部と、を備え、
前記誘導加熱手段および前記発熱体式ヒータが共に加熱可能な初期モードと、前記発熱体式ヒータの加熱を禁止する発熱体式ヒータロックモードと、前記誘導加熱手段および前記発熱体式ヒータの加熱を共に禁止する第１のオールロックモードと、前記第１のオールロックモードと表示が異なるだけの第２のオールロックモードと、を前記ロックモード選択キーで切り替える構成において、
前記発熱体式ヒータロックモード時に、前記ロックモード選択キーを所定時間Ｔ１が経過するまで押下し続けた後に、
さらに所定時間Ｔ２が経過する前に離すと前記第２のオールロックモードに移行し、
前記発熱体式ヒータロックモード時に、前記ロックモード選択キーを所定時間Ｔ１が経過するまで押下し続けた後に、
前記ロックモード選択キーを離さずにさらに前記所定時間Ｔ２が経過するまで押下し続けると前記初期モードに移行し、
前記第２のオールロックモードに移行した時点で前記ロックモード選択キーを一旦離したのちに、
再度所定時間Ｔ３が経過するまで押下し続けた後に、
さらに所定時間Ｔ４が経過する前に離すと前記発熱体式ヒータロックモードに移行し、
前記第２のオールロックモードに移行した時点で前記ロックモード選択キーを一旦離したのちに、
再度所定時間Ｔ３が経過するまで押下し続けた後に、
前記ロックモード選択キーを離さずにさらに前記所定時間Ｔ４が経過するまで押下し続けると前記第１のオールロックモードに移行する誘導加熱調理器。
【請求項２】
前記所定時間Ｔ１と前記所定時間Ｔ３とを等しくした請求項１に記載の誘導加熱調理器。
【請求項３】
音声を出力する音声出力部を備え、モードが移行すると前記音声出力部から音声を出力する請求項１または２に記載の誘導加熱調理器。
【発明の詳細な説明】
【技術分野】
【０００１】
本発明は、調理容器などの被加熱物を加熱する誘導加熱調理器に関するものである。
【背景技術】
【０００２】
従来、この種の誘導加熱調理器は、近年、鍋やフライパンなどの調理容器を、加熱コイルにより誘導加熱する誘導加熱調理器が、一般家庭や業務用のキッチンなどで広く用いられているが、安全性の観点から、思いがけず加熱が開始されてしまうことを防止するために、加熱を禁止するモードを設けているものがある。
【０００３】
また、誘導加熱ヒータと共に、発熱体により加熱するヒータ（ラジエントヒータ）を有しているものもあり、全ヒータの加熱を禁止するモードおよびラジエントヒータの加熱のみを禁止するモードを設けている場合がある。操作部が煩雑になることを防ぐため、これらの加熱禁止モードの切り替えを１つのキーで行うものがある（例えば、特許文献１参照）。
【０００４】
また、すぐに加熱禁止モードが解除されてしまうことを防ぐために、キーを長押しして加熱禁止モードを切り替えるものもあり、長押しする時間の差でどの加熱禁止モードに移行するかを切り分けるものがある。その動作例を以下に示す。
【０００５】
全ヒータの加熱が可能な初期モードと、全てのヒータの加熱を禁止するオールロックモードと、ラジエントヒータの加熱のみを禁止するラジエントロックモードとを設け、初期モード時にキーを３秒間押下し続けるとオールロックモードに移行し、さらにキーを離さずに２秒間押下し続けるとラジエントロックモードに移行し、オールロックモードに移行した時点でキーを一旦離したのちにキーを３秒間押下し続けると初期モードに移行し、ラジエントロックモード時に５秒間キーを押下し続けると初期モードに移行する。
【先行技術文献】
【特許文献】
【０００６】
【特許文献１】特開２００３−２７２８１１号公報
【発明の概要】
【発明が解決しようとする課題】
【０００７】
しかしながら、前記従来の構成では、ラジエントロックモードからオールロックモードに移行させたい場合に、ラジエントロックモードから一旦初期モードに移行させたのちに初期モードからオールロックモードに移行させなければならず、使用者にとって使い勝手が悪いという課題を有していた。
【０００８】
本発明は、上記課題を解決するものであって、従来の動作に加えてラジエントロックモードとオールロックモードの行き来を簡単にすることで、使用者にとって使い勝手の良い誘導加熱調理器を提供することを目的とする。
【課題を解決するための手段】
【０００９】
上記従来の課題を解決するために、本発明の誘導加熱調理器は、高周波磁界により被加熱物を加熱する少なくとも１つ以上の誘導加熱手段と、発熱体により被加熱物を加熱する少なくとも１つ以上の発熱体式ヒータと、前記誘導加熱手段および前記発熱体式ヒータの中から加熱を禁止する対象を選択するロックモード選択キーと、選択中のロックモードを表示する表示部と、を備え、前記誘導加熱手段および前記発熱体式ヒータが共に加熱可能な初期モードと、前記発熱体式ヒータの加熱を禁止する発熱体式ヒータロックモードと、前記誘導加熱手段および前記発熱体式ヒータの加熱を共に禁止する第１のオールロックモードと、前記第１のオールロックモードと表示が異なるだけの第２のオールロックモードと、を前記ロックモード選択キーで切り替える構成において、前記発熱体式ヒータロックモード時に前記ロックモード選択キーを所定時間Ｔ１が経過するまで押下し続けた後に、さらに所定時間Ｔ２が経過する前に離すと前記第２のオールロックモードに移行し、前記発熱体式ヒータロックモード時に前記ロックモード選択キーを所定時間Ｔ１が経過するまで押下し続けた後に、前記ロックモード選択キーを離さずにさらに前記所定時間Ｔ２が経過するまで押下し続けると前記初期モードに移行し、前記第２のオールロックモードに移行した時点で前記ロックモード選択キーを一旦離したのちに、再度所定時間Ｔ３が経過するまで押下し続けた後に、さらに所定時間Ｔ４が経過する前に離すと前記発熱体式ヒータロックモードに移行し、前記第２のオールロックモードに移行した時点で前記ロックモード選択キーを一旦離したのちに、再度所定時間Ｔ３が経過するまで押下し続けた後に、前記ロックモード選択キーを離さずにさらに前記所定時間Ｔ４が経過するまで押下し続けると前記第１のオールロックモードに移行するとしたものである。
【００１０】
これによって、発熱体式ヒータロックモードと第２のオールロックモードとの行き来が簡単になるため、常に発熱体式ヒータロックモードで使用していて必要な時にオールロックモードに切り替えるようなお客様にとって使い勝手の良い商品を提供することができる。
【発明の効果】
【００１１】
本発明の誘導加熱調理器は、発熱体式ヒータロックモードとオールロックモードとの切り替えを簡単に行うことができるため、使用者にとってより使い勝手の良い商品を提供することができる。
【図面の簡単な説明】
【００１２】
【図１】本発明の実施の形態１における誘導加熱調理器の上部外観図
【図２】本発明の実施の形態１における誘導加熱調理器のロックモード選択の動作を示すフローチャート
【発明を実施するための形態】
【００１３】
第１の発明は、高周波磁界により被加熱物を加熱する少なくとも１つ以上の誘導加熱手段と、発熱体により被加熱物を加熱する少なくとも１つ以上の発熱体式ヒータと、前記誘導加熱手段および前記発熱体式ヒータの中から加熱を禁止する対象を選択するロックモー
ド選択キーと、選択中のロックモードを表示する表示部と、を備え、前記誘導加熱手段および前記発熱体式ヒータが共に加熱可能な初期モードと、前記発熱体式ヒータの加熱を禁止する発熱体式ヒータロックモードと、前記誘導加熱手段および前記発熱体式ヒータの加熱を共に禁止する第１のオールロックモードと、前記第１のオールロックモードと表示が異なるだけの第２のオールロックモードと、を前記ロックモード選択キーで切り替える構成において、前記発熱体式ヒータロックモード時に、前記ロックモード選択キーを所定時間Ｔ１が経過するまで押下し続けた後に、さらに所定時間Ｔ２が経過する前に離すと前記第２のオールロックモードに移行し、前記発熱体式ヒータロックモード時に前記ロックモード選択キーを所定時間Ｔ１が経過するまで押下し続けた後に、前記ロックモード選択キーを離さずにさらに前記所定時間Ｔ２が経過するまで押下し続けると前記初期モードに移行し、前記第２のオールロックモードに移行した時点で前記ロックモード選択キーを一旦離したのちに、再度所定時間Ｔ３が経過するまで押下し続けた後に、さらに所定時間Ｔ４が経過する前に離すと前記発熱体式ヒータロックモードに移行し、前記第２のオールロックモードに移行した時点で前記ロックモード選択キーを一旦離したのちに、再度所定時間Ｔ３が経過するまで押下し続けた後に、前記ロックモード選択キーを離さずにさらに前記所定時間Ｔ４が経過するまで押下し続けると前記第１のオールロックモードに移行する誘導加熱調理器である。
【００１４】
これにより、発熱体式ヒータロックモードとオールロックモードとの切り替えを簡単に行うことができるため、常に発熱体式ヒータロックモードで使用していて必要な時にオールロックモードに切り替えるようなお客様にとって使い勝手の良い商品を提供することができる。
【００１５】
第２の発明は、特に、第１の発明の前記所定時間Ｔ１と前記所定時間Ｔ３とを等しくしたものである。これにより、発熱体式ヒータロックモードから第２のオールロックモードへの移行と第２のオールロックモードから発熱体式ヒータロックモードへの移行を同じ時間の長押しで実施することができ、使用者にとって操作方法が分かりやすくなる。
【００１６】
第３の発明は、特に、第１または第２の発明において、音声を出力する音声出力部を備え、モードが移行すると前記音声出力部から音声を出力するものである。これにより、モードが切り替わったことが容易に認識できるため、使用者にとって使い勝手の良い商品を提供することができる。
【００１７】
以下、本発明の実施の形態について、図面に基づいて説明する。なお、この実施形態によって本発明が限定されるものではない。
【００１８】
（実施の形態１）
図１は、本発明の第１の実施の形態における誘導加熱調理器の上部の外観図である。図１に示すように、機器上面にトッププレート１が配置され、複数の被加熱物を載置できるようにしている。トッププレート１の下部には、誘導加熱手段である誘導加熱ヒータ２および発熱体式ヒータであるラジエントヒータ３が設けられている。トッププレート１の使用者側には、誘導加熱ヒータ２による加熱を開始する誘導加熱ヒータ加熱開始キー４、ラジエントヒータによる加熱を開始するラジエントヒータ加熱開始キー５、誘導加熱ヒータおよびラジエントヒータの中から加熱を禁止する対象を選択するロックモード選択キー６および選択中のロックモードを表示する表示部７が設けられている。
【００１９】
以上のように構成された誘導加熱調理器について、以下、その動作、作用を説明する。
【００２０】
図２は、本発明の実施の形態１における誘導加熱調理器のロックモード選択の動作を示すフローチャートであり、ＳＴＥＰ１０１（初期モード）からの動作を示している。
【００２１】
ＳＴＥＰ１０２において、ロックモード選択キー６が３秒間（図２では例として３秒間としているが異なる秒数でも可。以後同様。）押されたかどうかを判定する。３秒間押されていたらＳＴＥＰ１０３に移行し、表示部７に第１のオールロックモードを示す表示をする。この段階では未だ第１のオールロックモードには確定していない。
【００２２】
続いて、ＳＴＥＰ１０４に移行し、ロックモード選択キー６を離さずに続けて２秒間以上押下されたかどうかを判定する。押下されていたらＳＴＥＰ１０５に移行し、ラジエントロックモード（発熱体式ヒータ）に確定し、表示部７にラジエントロックモードを示す表示に切り替える。
【００２３】
押下されていなければＳＴＥＰ１０６に移行し、第１のオールロックモードに確定し、表示部７はそのまま第１のオールロックモードの表示をする。ＳＴＥＰ１０６からはＳＴＥＰ１０７に移行し、ロックモード選択キー６が３秒間以上押されたかどうかを判定する。
【００２４】
押されていたらＳＴＥＰ１０１の初期モードに移行し、表示部７の表示は消える。以上より、初期モードからラジエントロックモードへは、５秒間以上の長押しで移行し、初期モードと第１のオールロックモードとは、お互いに３秒間の長押しで行き来が可能である。
【００２５】
ＳＴＥＰ１０５（ラジエントロックモード）からはＳＴＥＰ１０８に移行し、ロックモード選択キー６が３秒間押下されたかどうかを判定する。押されていたらＳＴＥＰ１０９に移行し、表示部７に第２のオールロックモードを示す表示をする。
【００２６】
この段階では未だ第２のオールロックモードには確定していない。続いてＳＴＥＰ１１
０に移行し、ロックモード選択キー６を離さずに続けて２秒間以上押下されたかどうかを判定する。
【００２７】
押されていたらＳＴＥＰ１０１に移行し、表示部７の第２のオールロックモードを示す表示は消え、初期モードとなる。押されていない場合は、ＳＴＥＰ１１１に移行し、第２のオールロックモードに確定し、表示部７はそのまま第２のオールロックモードの表示をする。
【００２８】
次に、ＳＴＥＰ１１２に移行し、ロックモード選択キー６が３秒間押されたかどうかを判定する。押された場合はＳＴＥＰ１１３に移行し、表示部７にラジエントロックモードを示す表示をする。
【００２９】
この段階では未だラジエントロックモードには確定していない。続いてＳＴＥＰ１１４に移行し、ロックモード選択キー６を離さずに続けて２秒間以上押下されたかどうかを判定する。押下された場合は、ＳＴＥＰ１０６（第１のオールロックモード）に移行する。
【００３０】
押下されていない場合は、ＳＴＥＰ１０５（ラジエントロックモード）に移行する。以上より、ラジエントロックモードから初期モードへは、５秒間以上の長押しで移行し、ラジエントロックモードと第２のオールロックモードとは、お互いに３秒間の長押しで行き来が可能である。
【００３１】
以上の構成により、ラジエントロックモードとオールロックモードとの切り替えを簡単に行うことができるため、常にラジエントロックモードで使用していて必要な時にオールロックモードに切り替えるようなお客様にとって使い勝手の良い商品を提供することができる。
【００３２】
また、音声出力部９を設け、モードが移行した際に音声でその旨を報知する構成とすることにより、使用者がモードが切り替わったことを容易に認識することができるため、さらに使い勝手が良くなる。
【産業上の利用可能性】
【００３３】
以上のように、本発明の誘導加熱調理器は、全ヒータの加熱を禁止するオールロックモードと発熱体式ヒータの加熱のみを禁止する発熱体式ヒータロックモードとの切り替えを容易に行うことができ、使い勝手の良い商品を提供できるため、一般家庭やレストランなどで使用される誘導加熱調理器に有効である。
【符号の説明】
【００３４】
１  トッププレート
２  誘導加熱ヒータ
３  ラジエントヒータ
４  誘導加熱ヒータ加熱開始キー
５  ラジエントヒータ加熱開始キー
６  ロックモード選択キー
７  表示部
９  音声出力部
【図１】
0005796161.tif 000002
【図２】
0005796161.tif 000003